(57)【要約】【課題】移動局がアップリンクパケット伝送のための無線資源を要請する方法を提供する。【解決手段】本発明に係る方法は、パケットチャネル要請メッセージを送ることによって始まるパケットアクセス過程の初めに監督タイマを開始する段階、及び上記監督タイマが満了される時、セル再選択を遂行する段階を含み、上記監督タイマは、上記パケットチャネル要請メッセージに応じてネットワークからどんなメッセージでも受信されたり、上記パケットチャネル要請メッセージの伝送をＭ＋１(Ｍ≧０)回試みた後に中止される。【選択図】図２
2009545267.tif 000002
【特許請求の範囲】
【請求項１】
移動局がアップリンクパケット伝送のための無線資源を要請する方法において、
パケットチャネル要請メッセージを送ることによって始まるパケットアクセス過程の初めに監督タイマを開始する段階；及び、
上記監督タイマが満了される時、セル再選択を遂行する段階を含み、
上記監督タイマは、上記パケットチャネル要請メッセージに応じてネットワークからどんなメッセージでも受信されたり、上記パケットチャネル要請メッセージの伝送をＭ＋１(Ｍ≧０)回試みた後に中止される方法。
【請求項２】
請求項１において、
上記チャネルチャネル要請メッセージは、ＰＲＡＣＨ(Packet  Random  Access  Channel)上に送られることを特徴とする方法。
【請求項３】
請求項１において、
上記移動局は、受信信号強度の降順にセルを確認することによってセル再選択を遂行することを特徴とする方法。
【請求項４】
請求項１において、
上記Ｍ値は、上記ネットワークから受信されることを特徴とする方法。
【請求項５】
請求項１において、
上記パケットチャネル要請メッセージの伝送をＭ＋１回試みた後に監督待機タイマを開始する段階；及び、
上記監督待機タイマが満了される時、セル再選択を遂行する段階をさらに含み、
上記監督待機タイマは、パケットアップリンク割り当てメッセージまたはパケット待ち行列通知メッセージの受信より中止されることを特徴とする方法。
【請求項６】
請求項１において、
上記パケットチャネル要請メッセージに応じて上記パケット接続拒絶メッセージを受信する時、監督待機タイマを開始する段階；及び、
上記監督待機タイマが満了される時、パケットアイドルモードに復帰する段階をさらに含み、
上記移動局は、上記パケットアクセス過程の初めに上記パケットアイドルモードを離れ、上記監督待機タイマは、パケットアップリンク割り当てメッセージまたはパケット待ち行列通知メッセージの受信より中止されることを特徴とする方法。
【請求項７】
請求項１において、
上記パケットチャネル要請メッセージに応じて上記パケット待ち行列通知メッセージを受信する時、通知列待機タイマを開始する段階；及び、
上記通知列待機タイマが満了される時、パケットアイドルモードに復帰する段階をさらに含み、
上記移動局は、上記パケットアクセス過程の初めに上記パケットアイドルモードを離れ、上記通知列待機タイマは、パケットアップリンク割り当てメッセージの受信より中止されることを特徴とする方法。
【請求項８】
ＧＰＲＳ(general  packet  radio  service)システムにおいてアップリンクパケットデータの伝送を支援するためのＴＢＦ(temporary  block  flow)を確立するためのパケットアクセス過程を遂行する方法において、
移動局の無線資源の要請指示を含むパケットチャネル要請メッセージを送ることによって監督タイマを開始する段階；及び、
上記監督タイマが満了される時、セル再選択を遂行する段階を含み、
上記監督タイマは、上記パケットチャネル要請メッセージに応じてネットワークからどんなメッセージでも受信されたり、上記パケットチャネル要請メッセージの伝送を少なくとも一回試みた後に中止される方法。
【請求項９】
アップリンクパケット伝送のための無線資源を要請するためのパケットチャネル要請メッセージを伝送する送受信機；
上記無線資源の要請を監督する監督タイマ；及び、
上記監督タイマが満了される時、セル再選択を遂行する制御器を含み、
上記監督タイマは、上記パケットチャネル要請メッセージの伝送により開始され、上記パケットチャネル要請メッセージに応じてネットワークからどんなメッセージでも受信されたり、上記パケットチャネル要請メッセージの伝送をＭ＋１(Ｍ≧０)回試みた後に中止されるＧＰＲＳシステムにおいて移動局。
【請求項１０】
請求項９において、
上記パケットチャネル要請メッセージに応じて上記パケット接続拒絶メッセージを受信する時開始する監督待機タイマをさらに含み、
上記監督待機タイマは、パケットアップリンク割り当てメッセージまたはパケット待ち行列通知メッセージの受信より中止されることを特徴とする移動局。
【請求項１１】
請求項９において、
上記パケットチャネル要請メッセージに応じて上記パケット待ち行列通知メッセージを受信する時開始する通知列待機タイマをさらに含み、
上記通知列待機タイマは、パケットアップリンク割り当てメッセージの受信より中止されることを特徴とする移動局。
【発明の詳細な説明】
【技術分野】
【０００１】
本発明は、無線通信に関し、より詳しくは、移動局が基地局にアップリンクパケット伝送のための無線資源を要請する方法に関する。
【背景技術】
【０００２】
ＧＳＭ(Global  System  for  Mobile  communication)は、ヨーロッパ地域の無線通信手段を統一しようとする手段の一つで作られた以来、多くの加入者を土台として発展している無線技術の一つである。ＧＰＲＳ(General  Packet  Radio  Service)とは、ＧＳＭが提供する回線交換データサービス(Circuit  Switched  Data  Service)でパケット交換データサービス(Packet  Switched  Data  Service)を提供するために導入されたものである。ＥＤＧＥ(Enhanced  Data  Rate  for  GSME  volution)は、ＧＳＭで使用するＧＭＳＫ(Gaussian  Minimum  Shift  Keying)の代りに８-ＰＳＫ(Phase  Shift  Keying)を使用する方式である。ＥＤＧＥを介してＧＰＲＳを具現することをＥＧＰＲＳ(Enhanced  general  PacketRadio  Service)という。
【０００３】
一般的に、ダウンリンク(downlink)は基地局(base  station  subsystem；ＢＳＳ)から移動局(Ｍobilestation；ＭＳ)への通信を意味して、アップリンク(uplink)は移動局から基地局への通信を意味する。
【０００４】
移動局がアップリンクにパケットデータを伝送するためには、アップリンク無線資源を基地局から割り当てられなければならない。アップリンク無線資源を要請するために、一般的に、移動局は、まず基地局にパケットチャネル要請(Packet  Channel  Request)メッセージを伝送する。移動局がアップリンクパケット伝送のために基地局から無線資源を割り当てられる一連の過程をパケットアクセス(packet  access)過程ともいう。パケットチャネル要請メッセージに対する応答を待つ間、移動局は、自分のＰＣＣＣＨ_ＧＲＯＵＰに伴う全体ＰＣＣＣＨ(Packet  Common  Control  Channel)を観察しなければならない。各ＰＣＣＣＨは、移動局の自分のＰＣＣＣＨ_ＧＲＯＵＰを運ぶ。特定ＰＣＣＣＨ_ＧＲＯＵＰ内の移動局は、ＰＣＣＣＨ_ＧＲＯＵＰの属する特定ＰＣＣＣＨ上でチャネル要請メッセージの応答を待つ。これは、非特許文献１に開示されている。
【０００５】
ところが、移動局のパケットチャネル要請メッセージに対して基地局(またはネットワーク)が応答しないことがある。即ち、移動局がパケットチャネル要請メッセージに対するどんな応答も受信できない場合である。これをランダムアクセス失敗(random  access  failure)という。ランダムアクセス失敗は、基地局がパケットチャネル要請メッセージを受信できない等、多様な要因に起因する。
【０００６】
アップリンク無線資源割り当てのために、パケットアクセス過程を遂行する間、ランダムアクセス失敗が発生する等、誤謬がある場合、どんな方式でこれを処理するかが問題となる。パケットアクセス過程中の誤謬は常に発生することができる問題であるため、これに対する効率的な処理が提示されなければ、アップリンク無線資源割り当てが遅延され、結局通信システムの品質低下を招くことができる。
【先行技術文献】
【非特許文献】
【０００７】
【非特許文献１】３ＧＰＰ  ＴＳ  ０５.０２Ｖ７.７.０(２００１-０８)、“Radio  Access  Network；Multiplexing  and  multiple  access  on  the  radio  path”  ６.５.６節
【発明の概要】
【発明が解決しようとする課題】
【０００８】
本発明が解決しようとする技術的課題は、パケットアクセス過程中の誤謬を処理する方法を提供することである。
【課題を解決するための手段】
【０００９】
一様態において、移動局がアップリンクパケット伝送のための無線資源を要請する方法が提供される。上記方法は、パケットチャネル要請メッセージを送ることによって始まるパケットアクセス過程の初めに監督タイマを開始する段階、及び上記監督タイマが満了される時、セル再選択を遂行する段階を含み、上記監督タイマは、上記パケットチャネル要請メッセージに応じてネットワークからどんなメッセージでも受信されたり、上記パケットチャネル要請メッセージの伝送をＭ＋１(Ｍ≧０)回試みた後に中止される。
【００１０】
他の様態において、ＧＰＲＳ(General  packet  radio  service)システムにおいてアップリンクパケットデータの伝送を支援するための、ＴＢＦ(temporary  block  flow)を確立するための、パケットアクセス過程を遂行する方法が提供される。上記方法は、移動局の無線資源の要請指示を含むパケットチャネル要請メッセージを送ることによって監督タイマを開始する段階、及び上記監督タイマが満了される時、セル再選択を遂行する段階を含み、上記監督タイマは、上記パケットチャネル要請メッセージに応じてネットワークからどんなメッセージでも受信されたり、上記パケットチャネル要請メッセージの伝送を少なくとも一回試みた後に中止される。
【００１１】
もう一つの様態において、ＧＰＲＳシステムにおいて移動局が提供される。上記移動局は、アップリンクパケット伝送のための、無線資源を要請するための、パケットチャネル要請メッセージを伝送する送受信機、上記無線資源の要請を監督する監督タイマ、及び上記監督タイマが満了される時、セル再選択を遂行する制御器を含み、上記監督タイマは、上記パケットチャネル要請メッセージの伝送により開示され、上記パケットチャネル要請メッセージに応じてネットワークからどんなメッセージでも受信されたり、上記パケットチャネル要請メッセージの伝送をＭ＋１(Ｍ≧０)回試みた後に中止される。
【図面の簡単な説明】
【００１２】
【図１】無線通信システムを示したブロック図である。
【図２】本発明の一実施例による移動局を示すブロック図である。
【図３】本発明の一実施例によるパケットアクセス過程を示す流れ図である。
【図４】本発明の他の実施例によるパケットアクセス過程を示す流れ図である。
【図５】本発明のもう一つの実施例によるパケットアクセス過程を示す流れ図である。
【図６】本発明のもう一つの実施例によるパケットアクセス過程を示す流れ図である。
【図７】本発明のもう一つの実施例によるパケットアクセス過程を示す流れ図である。
【図８】本発明のもう一つの実施例によるパケットアクセス過程を示す流れ図である。
【発明を実施するための形態】
【００１３】
図１は、無線通信システムを示したブロック図である。これはＧＳＭ(Global  System  for  Mobile  communication)/ＧＰＲＳ(General  Packet  Radio  Service)基盤のネットワークを示す。無線通信システムは、音声、パケットデータなどのような多様な通信サービスを提供するために広く配置される。
【００１４】
図１を参照すると、移動局(１０；Mobile  Station、ＭＳ)は、使用者が有して通う通信装備を意味して、ＵＥ(User  Equipment)、ＵＴ(user  terminal)、ＳＳ(Subscriber  station)、無線機器(wireless  device)等、他の用語として呼ばれることができる。
【００１５】
基地局(２０；Base  Station  Subsystem、ＢＳＳ)は、ＢＴＳ(２２、Base  Transceiver  Station)とＢＳＣ(２４、Base  Station  Controller)を含む。  ＢＴＳ(２２)は、一つのセル領域内の移動局(１０)と無線インターフェースを介して通信して、移動局(１０)との同期化などの機能を遂行する。ＢＳＣ(２４)は、少なくとも一つのＢＴＳ(２２)をＭＳＣ(Ｍobile  Switching  Center；３０)とインターフェースさせる。
【００１６】
ＭＳＣ(３０)は、ＧＭＳＣ(Gateway  MSC、６０)を介してＰＳＴＮ(Public  Switching  Telephone  Network、６５)やＰＬＭＮ(Public  Land  Mobile  Network)などのような異種ネットワークと基地局(２０)間を接続させる。ＶＬＲ(Visitor  Location  Register、４０)は、臨時的な使用者データを格納して、ＭＳＣ(３０)サービス領域で全ての移動局(１０)のローミングに関する情報を含む。ＨＬＲ(Home  Location  Register、５０)は、ホームネットワークの全ての加入者に対する情報を含む。ＳＧＳＮ(Serving  GPRS  Support  Node、７０)は、加入者の移動性管理(mobility  management)を担当する。ＧＧＳＮ(Gateway  GPRS  Support  Node、８０)は、移動局(１０)の現在位置にパケットをルーティングして、ＰＤＮ(Public  Data  Network、８５)のような外部パケットデータネットワークとインターフェースする。
【００１７】
ＴＢＦ(Temporary  Block  Flow)は、基本的な物理的サブチャネル上にＲＬＣ(Radio  Link  Control)ＰＤＵ(Protocol  Data  Unit)の単方向伝送を支援するための２つのＭＡＣ(Ｍedium  Access  Control)個体により提供される論理的な連結である。ＴＢＦは、パケットアイドルモード(packet  idle  mode)で提供されない。パケットアイドルモードでパケットデータ物理チャネル上のどんな無線資源も移動局に割り当てられない。パケット伝送モード(packet  transfer  mode)で少なくとも一つのＴＢＦが提供される。パケット伝送モードで、パケットデータの伝送のための少なくとも一つまたはその以上のパケットデータ物理チャネル上の無線資源が移動局に割り当てられる。ＭＡＣ-アイドル状態(MAC-idle  state)は、どんな基本的な物理的サブチャネルが割り当てられないＭＡＣ制御個体(MAC-control-entity)をいう。ＴＦＩ(Temporary  Flow  Identity)は、ネットワークにより各ＴＢＦに割り当てられる。移動局は、ＴＦＩ値はＴＢＦに使われる全てのＰＤＣＨ(Packet  Data  Channel)上で、同じ方向(アップリンクまたはダウンリンク)で同時多発的(concurrent)ＴＢＦのうち固有なものと仮定する。同じＴＦＩ値は、同じ方向で他のＰＤＣＨのＴＢＦに対して、または他の方向でＴＢＦに対して、同時多発的(concurrently)に使われることができる。
【００１８】
図２は、本発明の一実施例による移動局を示すブロック図である。
【００１９】
図２を参照すると、移動局(１００)は、制御器(１１０)、送受信機(１２０；transceiver)及び監督タイマ(１４０、supervision  timer)を含む。
【００２０】
送受信機(１２０)は、制御器(１１０)から多様なメッセージを受けて、アナログ信号に変換して基地局(２００)に伝送する。また、送受信機(１２０)は基地局(２００)から多様なメッセージを受信して制御器(１１０)に送る。
【００２１】
制御器(１１０)は、移動局(１００)の全体的な動作を制御して、基地局(２００)との接続を設定してデータを送受信して使用者に提供する。制御器(１１０)は、後述するパケットアクセス過程やセル再選択を遂行する。制御器(１１０)は、ディスプレー部(未図示)や入力部(未図示)と連結されて使用者インターフェースを提供することができる。
【００２２】
メモリ部(１３０)は、アップリンクを設定するために、移動局(１００)が基地局(２００)にパケットチャネル要請メッセージを伝送した回数を格納して、また、パケットチャネル要請メッセージの最大再伝送回数(Ｍ)を格納する。最大再伝送回数(Ｍ)は基地局(２００)から受信することができる。最大再伝送回数ほどパケットチャネル要請メッセージを伝送した後にも基地局(２００)から何らの応答メッセージが受信されないと、監督タイマ(１４０)が中止されて監督待機タイマ(１５０)が始まる。
【００２３】
監督タイマ(１４０)はパケットアクセス過程を監督することに使われる。監督タイマ(１４０)は、移動局(１２０)がパケットチャネル要請メッセージの伝送を繰り返すための最大許容時間を定義する。上記最大許容時間が過ぎれば、監督タイマ(１４０)は完了する。上記最大許容時間は、例えば、５秒にきめることができるが、この設定には制限がなく、システムによって多様に定めることができる。
【００２４】
監督タイマ(１４０)は、パケットアクセス過程が開始されると始める(Start)。監督タイマ(１４０)は、許容時間が経過する時まで、基地局からどんなメッセージを受信することができないと満了する(expire)。監督タイマ(１４０)が満了されると、パケットアクセス過程が中断されて(abort)、上位階層(upper  layer)にランダムアクセス失敗を知らせる。ランダムアクセス失敗は、移動局が自分のパケットチャネル要請メッセージに対する応答を基地局から得られない時の場合をいう。ランダムアクセス失敗が発生すると、移動局は自律的に(autonomously)セル再選択(cell  re-selection)を遂行する。監督タイマ(１４０)は、ネットワークからパケットチャネル要請メッセージに対する応答でどんなメッセージでも受信したり、パケットチャネル要請メッセージを最大伝送回数(Ｍ＋１)だけ伝送した後中止される(Stop)。
【００２５】
移動局(１００)は、監督タイマ(１４０)外に監督待機タイマ(１５０、supervision  relay  timer)と通知待機タイマ(１６０、notification  delay  timer)をさらに含むことができる。以下、監督タイマ(１４０)を第１のタイマ、監督待機タイマ(１５０)を第２のタイマ、通知待機タイマ(１６０)を第３のタイマという。
【００２６】
監督待機タイマ(１５０)は、パケットチャネル要請メッセージをＭ＋１(Ｍ≧０)回伝送したり、ネットワークからパケット接続拒絶(Packet  Access  Reject)メッセージを受けた後に始まる。監督待機タイマ(１５０)は、パケットアップリンク割り当て(Packet  Uplink  Assignment)メッセージを受信したり、パケット待ち行列通知(Packet  Queuing  Notification)メッセージを受信すると中止する。監督待機タイマ(１５０)は設定された時間が経過すると満了される。監督待機タイマ(１５０)が満了されるとパケットアクセス過程を中断する(abort)。チャネル要請メッセージをＭ＋１回伝送した後に監督待機タイマ(１５０)が満了されると上位階層にランダムアクセス失敗を知らせ、移動局はセル再選択(cell  re-selection)を遂行することができる。移動局は、パケット接続拒絶メッセージを受けた後に監督待機タイマ(１５０)が満了されると、上位階層にパケットアクセス失敗(access  failure)を知らせ、アイドルモード(idle  mode)に戻ることができる。
【００２７】
通知待機タイマ(１６０)はネットワークからパケット待ち行列通知メッセージを受けた後に始める。通知待機タイマ(１６０)はパケットアップリンク割り当てメッセージを受信すると中止する。通知待機タイマ(１６０)は予め設定された時間が経過すると満了される。上記設定時間は、例えば、５秒であってもよい。待機タイマ(１６０)が満了されるとアクセス過程を中断する。通知待機タイマ(１５０)が満了されると、上位階層にアクセス失敗を知らせ、アイドルモードに戻ることができる。
【００２８】
以下では、アップリンク無線資源を設定するための方法に対して説明する。以下の方法は、ＧＰＲＳ/ＥＧＰＲＳシステムにおいてパケットアクセス過程(packet  access  procedure)であってもよい。パケットアクセス過程は、上行リンクにパケットデータの伝送を支援するための少なくとも一つのＴＢＦを確立するためのことである。パケットアクセス失敗は、パケットチャネル要請メッセージの伝送を許容しないことのように、移動局が基地局から明白に接続を拒絶されたことである。ランダムアクセス失敗は、移動局が基地局からパケットチャネル要請メッセージに関するどんな応答も受けられない場合である。アイドルモードは、パケットアイドルモード(packet  idle  mode)またはＭＡＣ(Medium  Access  Control)アイドル状態(MAC  idle  state)であってもよい。
【００２９】
図３は、本発明の一実施例によるパケットアクセス過程を示す流れ図である。
【００３０】
図３を参照すると、移動局はパケットアクセス過程を始める時、監督タイマを開始する(Ｓ１１０)。移動局は、ＰＲＡＣＨ(packet  random  access  channel)上に、パケットチャネル要請メッセージの伝送をスケジューリングすることによってパケットアクセス過程を開始する(Ｓ１２０)。パケットチャネル要請メッセージは、ＰＲＡＣＨ上に伝送され、移動局の無線資源要求を指示するときに必要なアクセス類型やパラメータの指示を含む。パケットチャネル要請メッセージは、Ｍ＋１回まで繰り返して伝送することができる。Ｍ値は、最大再伝送回数であり、ネットワークが移動局に知らせることができる。パケットチャネル要請メッセージの応答を待つ間、移動局は自分のＰＣＣＣＨ_ＧＲＯＵＰに対応する全体ＰＣＣＣＨをモニターリングする。移動局は、パケットアイドルモードで定義されるとおり、信号強度測定を遂行することができる。
【００３１】
予め設定された時間が経過する時まで、ネットワークからどんなメッセージも受信することができないと、監督タイマが満了される(Ｓ１３０)。
【００３２】
監督タイマが満了されると、移動局は上位階層にランダムアクセス失敗を知らせ、セル再選択(cell  re-selection)を遂行する(Ｓ１４０)。セル再選択は、移動局がセル(現在サービングセル)にキャンピングする間、他のセルの選択を試みることである。移動局は他のセルに対するどんな事前情報も知らない。移動局は受信信号強度の降順に最も強いＲＦ(radio  frequency)チャネルで検索する。移動局は受信信号強度の降順にセルを確認することによってセル再選択を遂行する。
【００３３】
ネットワークからどんな応答メッセージが遂行されないと、監督タイマが満了される。ネットワークからどんな応答メッセージも受信されないと、現在移動局が属するセルは適切でないことがある。従って、監督タイマが満了されると、移動局は直ちにセル再選択を遂行することによって、適切なセルを選択するようにする。従って、新しいパケットアクセス過程を開始する場合、誤謬が発生する確率が顕著に減ることができる。
【００３４】
図４は、本発明の他の実施例によるパケットアクセス過程を示す流れ図である。
【００３５】
図４を参照すると、移動局は、パケットアクセス過程を始める時、監督タイマを開始する(Ｓ２１０)。移動局は、ＰＲＡＣＨ上にパケットチャネル要請メッセージの伝送をスケジューリングすることによってパケットアクセス過程を開始する(Ｓ２２０)。パケットチャネル要請メッセージはＭ＋１回まで繰り返して伝送することができる。
【００３６】
パケットチャネル要請メッセージをＭ＋１回繰り返し伝送すると、監督タイマは中止され、監督待機タイマが始まる(Ｓ２３０)。即ち、監督タイマの満了前、パケットチャネル要請メッセージをＭ＋１回繰り返し伝送すると、監督待機タイマが始まる。
【００３７】
予め設定された時間が経過する時まで、ネットワークからパケットアップリンク割り当て(Packet  Uplink  Assignment)メッセージやパケット待ち行列通知(Packet  Queuing  Notification)メッセージを受信することができないと、監督待機タイマは満了される(Ｓ２４０)。パケットアップリンク割り当てメッセージは一つのＴＢＦを割り当てることに使われる。パケットチャネル要請メッセージを受信したネットワークは、無線資源を割り当てて、割り当てられた無線資源をパケットアップリンク割り当てメッセージを介して移動局に知らせる。パケット待ち行列通知メッセージは、ネットワークがパケットチャネル要請メッセージを受信したＰＣＣＣＨと同じでなるＰＣＣＣＨに伝送される。パケット待ち行列通知メッセージは、今後に移動局を識別するときに使われる臨時待ち行列識別子(temporary  queuing  identity)を含む。
【００３８】
監督待機タイマが満了されると、移動局は上位階層にランダムアクセス失敗を知らせ、セル再選択を遂行する(Ｓ２５０)。
【００３９】
監督タイマの満了前、Ｍ＋１回チャネル要請メッセージを伝送すると、監督タイマは中止されて監督待機タイマが始まる。監督待機タイマが満了されると、ランダムアクセス失敗であると処理して新しいセルを再-選択する。
【００４０】
図５は、本発明のもう一つの実施例によるパケットアクセス過程を示す流れ図である。
【００４１】
図５を参照すると、移動局はパケットアクセス過程を始める時、監督タイマを開始する(Ｓ３１０)。移動局は、ＰＲＡＣＨ上にパケットチャネル要請メッセージの伝送をスケジューリングすることによってパケットアクセス過程を開始する(Ｓ３２０)。
【００４２】
ネットワークは、移動局のチャネル要請メッセージに対する応答でパケット接続拒絶(Packet  Access  Reject)メッセージを伝送する(Ｓ３３０)。パケット接続拒絶メッセージは、ネットワークが移動局のアップリンク無線資源要請に対する拒絶を意味する。
【００４３】
ネットワークからパケット接続拒絶メッセージを受信すると、監督タイマは中止され、監督待機タイマが始まる(Ｓ３４０)。
【００４４】
予め設定された時間が経過する時まで、ネットワークからパケットアップリンク割り当てメッセージやパケット待ち行列通知メッセージを受信することができないと、監督待機タイマは満了される(Ｓ３５０)。
【００４５】
監督待機タイマが満了すると、移動局は、上位階層にパケットアクセス失敗を知らせ、パケットアイドルモードまたはＭＡＣアイドル状態に帰還する(Ｓ３６０)。パケットアクセス過程を開始しながら、移動局はパケットアイドルモードを離れるが、パケットアクセス失敗となると、移動局は再びパケットアイドルモードに戻る。
【００４６】
パケット接続拒絶メッセージが受信されると、ネットワークから無線資源要請に対する明白な拒絶を受けたことであるため、ランダムアクセス失敗でなく、パケットアクセス失敗と処理する。
【００４７】
図６は、本発明のもう一つの実施例によるパケットアクセス過程を示す流れ図である。
【００４８】
図６を参照すると、移動局はパケットアクセス過程を始める時、監督タイマを開始する(Ｓ４１０)。移動局は、ＰＲＡＣＨ上にパケットチャネル要請メッセージの伝送をスケジューリングすることによってパケットアクセス過程を開始する(Ｓ４２０)。パケットチャネル要請メッセージはＭ＋１回まで繰り返して伝送することができる。
【００４９】
パケットチャネル要請メッセージをＭ＋１回繰り返し伝送すると、監督タイマは中止され、監督待機タイマが始まる(Ｓ４３０)。
【００５０】
ネットワーク銀監督待機タイマが始まった後に移動局のパケットチャネル要請メッセージに対する応答でパケット接続拒絶(Packet  Access  Reject)メッセージを伝送する(Ｓ４４０)。
【００５１】
パケット接続拒絶メッセージは無視され(ignore)、予め設定された時間が経過する時まで、ネットワークからパケットアップリンク割り当てメッセージやパケット待ち行列通知メッセージを受信することができないと、監督待機タイマは満了される(Ｓ４５０)。
【００５２】
監督待機タイマが満了されると、移動局は上位階層にパケットアクセス失敗を知らせ、パケットアイドルモードまたはＭＡＣアイドル状態に戻ることができる(Ｓ４６０)。
【００５３】
監督待機タイマが始まった後、パケット接続拒絶メッセージが受信されると、ネットワークから無線資源要請に対する明白な拒絶を受けたことであるため、パケットアクセス失敗と処理する。
【００５４】
図７は、本発明のもう一つの実施例によるパケットアクセス過程を示す流れ図である。
【００５５】
図７を参照すると、移動局はパケットアクセス過程を始める時、監督タイマを開始する(Ｓ５１０)。移動局は、ＰＲＡＣＨ上にパケットチャネル要請メッセージの伝送をスケジューリングすることによってパケットアクセス過程を開始する(Ｓ５２０)。パケットチャネル要請メッセージはＭ＋１回まで繰り返して伝送することができる。
【００５６】
ネットワークは、移動局のパケットチャネル要請メッセージに対する応答でパケット待ち行列通知(Packet  Queuing  Notification)メッセージを伝送する(Ｓ５３０)。
【００５７】
ネットワークからパケット待ち行列通知メッセージを受信すると、監督タイマは中止され、通知待機タイマが始まる(Ｓ５４０)。
【００５８】
予め設定された時間が経過する時まで、ネットワークからパケットアップリンク割り当てメッセージを受信することができないと、通知待機タイマは満了される(Ｓ５５０)。
【００５９】
通知待機タイマが満了されると、移動局は上位階層にパケットアクセス失敗を知らせ、パケットアイドルモードまたはＭＡＣアイドル状態に戻る(Ｓ５６０)。
【００６０】
パケット待ち行列通知メッセージが受信されると、ネットワークから無線資源要請に対する明白な拒絶を受けたとみなし、パケットアクセス失敗と処理する。
【００６１】
図８は、本発明のもう一つの実施例によるパケットアクセス過程を示す流れ図である。
【００６２】
図８を参照すると、移動局はパケットアクセス過程を始める時、監督タイマを開始する(Ｓ６１０)。移動局は、ＰＲＡＣＨ上にパケットチャネル要請メッセージの伝送をスケジューリングすることによってパケットアクセス過程を開始する(Ｓ６２０)。パケットチャネル要請メッセージはＭ＋１回まで繰り返して伝送することができる。
【００６３】
パケットチャネル要請メッセージをＭ＋１回繰り返し伝送すると、監督タイマは中止され、監督待機タイマが始まる(Ｓ６３０)。
【００６４】
ネットワークは、監督待機タイマが始まった後に移動局のチャネル要請メッセージに対する応答でパケット待ち行列通知メッセージを伝送する(Ｓ６４０)。
【００６５】
ネットワークからパケット待ち行列通知メッセージを受信すると、監督待機タイマは中止され、通知待機タイマが始まる(Ｓ６５０)。
【００６６】
予め設定された時間が経過する時まで、ネットワークからパケットアップリンク割り当てメッセージを受信することができないと、通知待機タイマは満了される(Ｓ６６０)。
【００６７】
通知待機タイマが満了すると、移動局は、上位階層にパケットアクセス失敗を知らせ、パケットアイドルモードまたはＭＡＣアイドル状態に戻る(Ｓ６６０)。
【００６８】
監督待機タイマが始まった後、パケット待ち行列通知メッセージが受信されると、ネットワークから無線資源要請に対する明白な拒絶を受けたとみなし、パケットアクセス失敗と処理する。
【００６９】
各タイマ別にランダムアクセス失敗とパケットアクセス失敗に区分してパケットアクセス過程で発生することができる失敗を処理する。従って、アップリンク無線資源要請に伴うアクセス効率性を高めることができる。
【００７０】
アップリンクアクセス失敗に伴う各場合別に措置を設定することによって、移動局が適切なアクセス過程を遂行するようにすることができる。従って、アップリンク接続の効率性を高めることができる。
【００７１】
本発明は、ハードウェア、ソフトウェアまたはこれらの組合せで具現されることができる。ハードウェア具現において、上述した機能を遂行するためにデザインされたＡＳＩＣ(application  specific  integrated  circuit)、ＤＳＰ(digital  signal  processing)、ＰＬＤ(programmable  logic  device)、ＦＰＧＡ(field  programmable  gate  array)、プロセッサ、制御器、マイクロプロセッサ、他の電子ユニットまたはこれらの組合せで具現されることができる。ソフトウェア具現において、上述した機能を遂行するモジュールで具現されることができる。ソフトウェアは、メモリユニットに格納されることができ、プロセッサにより実行される。メモリユニットやプロセッサは当業者によく知らされた多様な手段を採用することができる。
【００７２】
以上、本発明に対して実施例を参照して説明したが、該当技術分野の通常の知識を有した者は、本発明の技術的思想及び領域から外れない範囲内で本発明を多様に修正及び変更させて実施可能であることを理解することができる。従って、上述した実施例に限定されることなく、本発明は特許請求範囲の範囲内の全ての実施例を含む。
【符号の説明】
【００７３】
１０、１００  移動局
２０、２００  基地局
２２  ＢＴＳ
２４  ＢＳＣ
３０  ＭＳＣ
４０  ＶＬＲ
５０  ＨＬＲ
６０  ＧＭＳＣ
６５  ＰＳＴＮ
７０  ＳＧＳＮ
８０  ＧＧＳＮ
８５  ＰＤＮ
１１０  制御器
１２０  送受信機
１３０  メモリ部
１４０  監督タイマ
１５０  監督待機タイマ
１６０  通知待機タイマ
【図１】
2009545267.tif 000003
【図２】
2009545267.tif 000004
【図３】
2009545267.tif 000005
【図４】
2009545267.tif 000006
【図５】
2009545267.tif 000007
【図６】
2009545267.tif 000008
【図７】
2009545267.tif 000009
【図８】
2009545267.tif 000010
【国際調査報告】
2009545267.tif 000011
2009545267.tif 000012